(57)【特許請求の範囲】
【請求項１】
使用者が携行可能な警報器において、
筐体を構成するケース本体と、
前記ケース本体内に収容されて、当該ケース本体内に形成された空間であるセンサ室に含まれる検出対象ガスを検出するガスセンサと、
前記ケース本体の内外を貫通し、前記ケース本体の周囲の雰囲気を前記センサ室に流入させる通気口と、を有し、
前記通気口は、前記ケース本体をなす２つ以上の面にそれぞれ形成されており、
前記ケース本体は、前記ケース本体の周囲の雰囲気が前記ケース本体内部へ流入する通路としての凹状の溝で構成される横穴を有し、
前記横穴は、当該横穴に対する雰囲気の流入方向が、同一面に形成される前記通気口に対する雰囲気の流入方向とオフセットするように設定されていることを特徴とする警報器。
【請求項２】
前記ケース本体は、前記通気口が形成される少なくとも一つの面が、非平面的な形状に設定されていることを特徴とする請求項１に記載された警報器。
【請求項３】
前記ケース本体は、前記ケース本体表面における前記横穴の周縁部の一部に、外側に凸状に突出した突起部を備えることを特徴とする請求項１に記載された警報器。
【発明の詳細な説明】
【技術分野】
【０００１】
本発明は、警報器に係り、特に、使用者が携行可能な警報器に関する。
【背景技術】
【０００２】
従来より、ガス漏れや、火災或いは燃焼機器の不完全燃焼に伴う一酸化炭素といった検出対象ガスを検出して警報を発する警報器が知られている。この類の報知器としては、例えば、室内、浴室や厨房といった場所に固定的に配置されるタイプ以外にも、使用者が携行可能なタイプも知られている。
【０００３】
例えば特許文献１には、住宅用警報器が開示されている。この住宅用警報器は、検知部を含む部品を収容する筐体である保護カバーを備え、この保護カバーの底面には、開口が一つ形成されている。この開口が通気部位として機能することで、警報器の周囲の雰囲気と検知部との間での通気が行われる。また、特許文献２，３には、可搬型ガス検知器が開示されている。このガス検知器では、ガスセンサや回路基板を含む部品を収容する筐体である矩形枠状のケース本体を備え、当該ケース本体の上面にガス導入部が一つ形成されている。このガス導入部が通気部位として機能することで、検知器の周囲の雰囲気とガスセンサとの間での通気が行われる。
【先行技術文献】
【特許文献】
【０００４】
【特許文献１】特開２０１０−５００３１号公報
【特許文献２】特開２００６−２０９４３８号公報
【特許文献３】特開２００５−１３４３３１号公報
【発明の概要】
【発明が解決しようとする課題】
【０００５】
しかしながら、各特許文献に開示された手法によれば、通気部位が一つしか形成されていないため、何らかの事態で通気部位が塞がれてしまった場合には通気性が阻害されてしまい、検出精度の低下を招くといった事態が起こりえる。
【０００６】
本発明はかかる事情に鑑みてなされたものであり、その目的は、警報器の周囲の雰囲気との通気性を保障することにより、被検出ガスの検出精度の低下を抑制することである。
【課題を解決するための手段】
【０００７】
かかる課題を解決するために、本発明は、筐体を構成するケース本体と、ケース本体内に収容されて、当該ケース本体内に形成された空間であるセンサ室に含まれる検出対象ガスを検出するガスセンサと、ケース本体の内外を貫通し、ケース本体の周囲の雰囲気をセンサ室に流入させる通気口と、を有する、使用者が携行可能な警報器を提供する。この場合、通気口は、ケース本体をなす２つ以上の面にそれぞれ形成されている。そして、ケース本体は、ケース本体の周囲の雰囲気がケース本体内部へ流入する通路としての凹状の溝で構成される横穴を有し、横穴は、当該横穴に対する雰囲気の流入方向が、同一面に形成される通気口に対する雰囲気と流入方向と交差するように設定される。
【０００８】
また、本発明において、ケース本体は、通気口が形成される少なくとも一つの面が、非平面的な形状に設定されていることが好ましい。
【００１０】
また、本発明において、ケース本体は、ケース本体における横穴の周縁部の一部に、外側に凸状に突出した突起部を備えることが好ましい。
【発明の効果】
【００１１】
本発明によれば、ケース本体をなす２つ以上の面に通気口をそれぞれ設けることで、複数の通気口を設定することができる。これにより、一つの通気口が塞がれた場合であっても、残余の通気口が存在することで、警報器の周囲の雰囲気との通気性を保障するができるので、被検出ガスの検出精度の低下を抑制することができる。また、２つ以上の面に分散して通気口を形成することで、一つの面が塞がれてしまったとしても、残余の面に形成された通気口が存在することで、警報器の周囲の雰囲気との通気性を保障することができる。
【図面の簡単な説明】
【００１２】
【図１】本実施形態にかかる警報器を模式的に示す斜視図
【図２】警報器を模式的に示す正面図
【図３】警報器を模式的に示す上面図
【図４】警報器を模式的に示す下面図
【図５】警報器を模式的に示す側面図
【図６】ケース本体の側面を示す斜視図
【図７】側面を中心とするケース本体の断面図
【発明を実施するための形態】
【００１３】
図１は、本実施形態にかかる警報器１を模式的に示す斜視図である。また、図２は警報器を模式的に示す正面図、図３は警報器を模式的に示す上面図、図４は警報器を模式的に示す下面図、図５は警報器を模式的に示す側面図である。本実施形態にかかる警報器１は、検出対象ガス、例えば一酸化炭素（ＣＯ）を検出して警報を行うガス警報器であり、特に、燃焼器具の不完全燃焼点検などといったように燃焼器具が設置されている現場にガス点検設備者（使用者）が携行することができる携行用ガス警報器である。
【００１４】
警報器１は、表ケース１１と裏ケース１２により形成されたケース本体１０を備えている。このケース本体１０は、複数の面からなる中空箱状の筐体を構成し、図示しないガスセンサ等を収容している。本実施形態において、ガスセンサは、ケース本体１０内に形成された空間であるセンサ室における一酸化炭素の濃度を検出するＣＯセンサであり、このＣＯセンサとしては、電気化学式ガスセンサ、半導体式ガスセンサ或いは接触燃焼式ガスセンサ等を利用することができる。
【００１５】
また、警報器１は、ケース本体１０の内部に、ＣＰＵ、ＲＯＭ、ＲＡＭ、Ｉ／Ｏインターフェースを主体に構成されたマイクロコンピュータ（図示せず）を備えている。このマイクロコンピュータには、ガスセンサ、警報表示部２０、警報出力部３０及び電源操作部４０等が接続されている。
【００１６】
マイクロコンピュータは、周知のように、予め定めたプログラムに従って各種の処理や制御などを行うものであり、ＲＯＭには、ＣＰＵのための制御プログラム等が格納されている。そして、ＣＰＵは、ＲＡＭのワーキングエリアを利用して各種の処理を行う。このマイクロコンピュータは、所定の検出タイミングにおいてガスセンサの出力を読み込み、そして、一酸化炭素の濃度が、予め定められた警報レベルに達すると、警報表示部２０及び警報出力部３０を制御して、警報を行う。
【００１７】
ケース本体１０の表面１０ａには、警報表示によって警報を行う警報表示部２０と、警報音によって警報を行う警報出力部３０と、操作部４０とが設けられている。
【００１８】
警報表示部２０は、ケース本体１０内に配置されたＬＥＤなどのランプ（図示せず）等を含んで構成されている。この警報表示部２０は、ケース本体１０において「ＣＯ」等と記されたＣＯ警報表示領域２１をランプの透過光によって発光することにより、一酸化炭素の濃度が警報レベルに達したことを報知する。また、警報表示部２０は、「お知らせ」と記された故障お知らせ領域２２の近傍においてランプを点灯又は点滅させることにより、機器の故障を報知する。
【００１９】
警報出力部３０は、ケース本体１０内に配置されたスピーカー（図示せず）を含んで構成されている。ケース本体１０には、スピーカからの音声メッセージによる警報音を外部に出力するために、複数の放音孔３１が形成されている。
【００２０】
操作部４０は、使用者が操作可能なボタンで構成されている。この操作部４０は、例えば、警報器１の電源をオンするオンボタンと、警報器１の電源をオフするオフボタンとを含んでいる。
【００２１】
このような構成の警報器１において、ケース本体１０には、当該ケース本体１０の内外を貫通する複数の通気口１３ａ〜１３ｄが形成されている。これらの通気口１３ａ〜１３ｄは、警報器１の周囲の雰囲気を、ケース本体１０内部のセンサ室に流入させるための開口として機能する。
【００２２】
ケース本体１０を構成する一対の側面１０ｂ，１０ｃのうち、一方の側面１０ｂに対応する領域には、４つの通気口１３ａ，１３ｂが形成されている。具体的には、側面１０ｂのうち表ケース１１側に対応する領域には、２つの通気口１３ａが形成され、裏ケース１２側に対応する領域には、２つの通気口１３ｂが形成されている。また、ケース本体１０の上面１０ｄには、１つの通気口１３ｃが形成されており、ケース本体１０の下面１０ｄには、１つの通気口１３ｂが形成されている。このように、警報器１のケース本体１０を構成する２つ以上の面１０ｂ，１０ｄ，１０ｅに、通気口１３ａ〜１３ｄがそれぞれ形成されている。
【００２３】
また、４つの通気口１３ａ，１３ｂが形成されているケース本体１０の側面１０ｂには、曲面を主体とした形状が適用されている。具体的には、当該側面１０ｂは、これを断面的に捉えた場合に、略円柱形状のセンサ室の周囲を覆うような円弧形状を備えており、総体として、上面１０ｄ側から下面１０ｅ側へと延在する略円筒形状に形成されている。すなわち、側面１０ｂに対応する通気口１３ａ，１３は、平坦な面に形成されているのではく、立体な形状をなす面に形成されていることとなる。
【００２４】
さらに、ケース本体１０の側面１０ｂには、横穴１４が形成されている。ここで、図６は、ケース本体１０の側面１０ｂを示す斜視図であり、（ｂ）は、同図（ａ）に示す領域Ａを拡大して示す斜視図である。また、図７は、ケース本体１０の側面１０ｂを中心とするケース本体１０の断面図である。
【００２５】
具体的には、図７に示すように、側面１０ｂに対応する領域（裏ケース１２に対応する領域）には、周囲の雰囲気が側面１０ｂに対して略垂直に進んでセンサ室Ｓへ流入するのではく、これと交差する横方向、すなわち、側面１０の面方向に沿って進んだ後にセンサ室Ｓへ流入する通路としての横穴１４が形成されている。換言すれば、横穴１４は、当該横穴１４に対する雰囲気の流入方向が、同一面（側面１０ｂ）に形成される通気口１３ａ，１３ｂに対する雰囲気の流入方向とオフセットするように設定されている。この横穴１４は、側面１０ｂの所定位置に、凹状の溝で構成されている。
【００２６】
また、裏ケース１２において、ケース本体１０表面における横穴１４の周縁部の一部には、外側に凸状に突出した突起部１５が形成されている。
【００２７】
このように本実施形態において、通気口１３ａ〜１３ｄは、ケース本体１０をなす２つ以上の面１０ｂ〜１０ｅにそれぞれ形成されている。かかる構成によれば、２つ以上の面１０ｂ〜１０ｅに通気口１３ａ〜１３ｄをそれぞれ設けることで、複数の通気口１３ａ〜１３ｄを設定することができる。これにより、一つの通気口１３ａ〜１３ｄが塞がれた場合であっても、残余の通気口１３ａ〜１３ｄが存在することで、警報器１の周囲の雰囲気との通気性を保障することができるので、被検出ガスの検出精度の低下を抑制することができる。また、一つの面に対して複数の通気口を設定することも有効であるが、携行型警報器１の場合には、可搬性を考慮してケース本体のサイズが小さかったり、使用者の体が触れたりといったように、ケース本体における一つの面の全体が塞がれてしまうといった事態も起こりえる。この点、２つ以上の面１０ｂ〜１０ｅに分散して通気口１３ａ〜１３ｄを形成することで、一つの面１０ｂ〜１０ｅが塞がれてしまったとしても、残余の面１０ｂ〜１０ｅに形成された通気口１３ａ〜１３ｄが存在することで、警報器１の周囲の雰囲気との通気性を保障することができる。
【００２８】
また、本実施形態において、ケース本体１０は、通気口１３ａ，１３ｂが形成される少なくとも一つの面（側面）１０ｂが、非平面的な形状、具体的には、曲面形状に設定されている。かかる構成によれば、使用者の体とケース本体１０とが接触するといったように、遮蔽物がケース本体１０の側面１０ｂを覆うような場合に、当該側面１０ｂが平面であれば、遮蔽物が面的に接触して、側面１０ｂの全体を覆い、全ての通気口１３ａ，１３ｂが塞がれてしまうといったことが生じ得る。一方、側面１０ｂが曲面形状に設定されている場合には、遮蔽物が部分的に接触することで側面１０ｂの全体が覆われるといった事態を抑制することができる。これにより、側面１０ｂに形成された通気口１３ａ，１３ｂが塞がれるといった可能性を低減することができるので、警報器１の周囲の雰囲気との通気性を高めることができる。また、このような非平面的な形状に設定される面（側面）１０ｂには、複数の通気口１３ａ，１３ｂを形成しておくことにより、一つの通気口１３ａ，１３ｂが塞がったとしても、残余の通気口１３ａｂ１３ｂが塞がれる確立を高めることができるので、より有効となる。
【００２９】
さらに、なお、ケース本体１０の面に設定する非平面的な形状としては、曲面形状に限らず、立体的な形状を広く採用することができる。例えば、凹凸を周期的に繰り返すような波型や三角波型であってもよく、一つの面を複数の細分化した面により構成した多角形状としてもよい。
【００３０】
また、本実施形態において、ケース本体１０は、ケース本体１０の周囲の雰囲気がケース本体１０内部へ流入する通路としての凹状の溝で構成される横穴１４を有している。この横穴１４は、横穴１４に対する雰囲気の流入方向が、同一面１０ｂに形成される通気口１３ａ，１３ｂに対する流入方向とオフセットするように設定されている。かかる構成によれば、周囲雰囲気の流れに起因して、通気口１３ａ，１３ｂから雰囲気が流入し難いような状況であっても、流入方向がオフセットした関係にある横穴１４を備えることで、センサ室に周囲雰囲気を適切に導くことができる。これにより、警報器１の周囲の雰囲気との通気性を保障することができる。
【００３１】
また、本実施形態において、ケース本体１０は、ケース本体１０における横穴１４の周縁部の一部に、外側に凸状に突出した突出部１５を備えている。かかる構成によれば、突出部１５を設けることで、ケース本体１０における横穴１４の周縁部が同一平面形状にならないので、当該横穴１４が遮蔽物によって覆われるような状況であっても、横穴１４の周縁部に間隙が確保される。これにより横穴１４が完全に塞がれてしまうといった状況を抑制することができ、警報器１の周囲の雰囲気との通気性を保障することができる。
【００３２】
以上、本実施形態にかかる警報器について説明したが、本発明はこの実施形態に限定されることなく、その発明の範囲において種々の変更が可能である。例えば、警報器の形状は、ガスセンサとしては、種々の検出対象ガスを検出できればよく、検出対象ガスを、例えば、メタンガス、プロパンガス、水素ガス等とすることもできる。
【符号の説明】
【００３３】
１      警報器
１０      ケース本体
１０ａ    表面
１０ｂ    側面
１０ｃ    側面
１０ｄ    上面
１０ｅ    下面
１１      表ケース
１２      裏ケース
１３ａ    通気口
１３ｂ    通気口
１３ｃ    通気口
１３ｄ    通気口
２０      警報表示部
２１      ＣＯ警報表示領域
２２      故障お知らせ領域
３０      警報出力部
４０      操作部
【図１】
0005869261.tif 000002
【図２】
0005869261.tif 000003
【図３】
0005869261.tif 000004
【図４】
0005869261.tif 000005
【図５】
0005869261.tif 000006
【図６】
0005869261.tif 000007
【図７】
0005869261.tif 000008